(57)【要約】【課題】電動ドリルのドリル駆動部を草刈りにも兼用できると共に、刈り取った後の草丈を一定に揃え、かつ所望の草丈に設定することができ、しかもカッターユニットはモータ部に負担を掛けない軽量簡易で安価な装置を実現する。【解決手段】ドリル駆動部に、ドリルに代えて、草刈りユニットの回転軸を剛体軸又はフレキシブル軸を介して連結可能な構造において、前記の剛体軸又はフレキシブル軸を挿通した連結パイプを介して、草刈りユニットのホルダー部とドリル駆動本体部の取付けアダプターとを連結することにより、ドリル駆動装置で草刈りを可能とする。【選択図】図２
2007097552.tif 000002
【特許請求の範囲】
【請求項１】
ドリル駆動部に、ドリルに代えて、草刈りユニットの回転軸を剛体軸又はフレキシブル軸を介して連結可能な構造において、前記の剛体軸又はフレキシブル軸を挿通した連結パイプを介して、草刈りユニットのホルダー部とドリル駆動本体部の取付けアダプターとを連結することにより、ドリル駆動装置で草刈りを可能としたことを特徴とするドリル駆動式の草刈り機。
【請求項２】
前記の草刈りユニットの回転軸を挿通する有底筒体の側壁に１対又は複数対の貫通孔を放射方向に開けて、カッター線材を、対になった貫通孔に挿通して、放射状に取付けてなることを特徴とする請求項１に記載のドリル駆動式の草刈り機。
【請求項３】
前記の草刈りユニットの回転軸を挿通する円盤にその直径方向の取付け溝を形成し、その溝底面に、帯板状カッターの基部を取付ける構造となっていることを特徴とする請求項１に記載のドリル駆動式の草刈り機。
【請求項４】
前記草刈りユニットの回転軸の先端に安定盤を取付け固定し、該安定盤に対する前記草刈りユニットのカッター手段の高さを選択し設定可能な構造としたことを特徴とする請求項１、請求項２または請求項３に記載のドリル駆動式の草刈り機。
【発明の詳細な説明】
【技術分野】
【０００１】
本発明は、孔開け用の電動ドリル装置を用いて草刈りを可能としたドリル駆動式の草刈り機に関する。
【背景技術】
【０００２】
ドリルで木材や金属に孔あけする場合は電動式が多用されるが、日曜大工などに備えて、電動ドリルも一般家庭まで普及してきている。しかも、比較的小型なため、特別なスペースが無くても保管できる。一方、芝刈りや雑草の刈り取りに用いる草刈り機は比較的大型なため、大きな収納スペースを要する。そのため、電動ドリル装置と違って、一般家庭まで普及していないのが現状である。したがって、広く普及している電動ドリル装置を草刈りにも兼用できると便利である。
【０００３】
さらに、芝刈りなどの際に、刈り取った後の芝の丈を一定に揃えたり、草丈を所望の高さに設定できると、芝刈り後の美観の上でも好都合である。このような問題を解消すべく、帽子形のカッター盤の周囲に数個のカッターを取付け、高さの異なる数個のナットを変換することによって、カッター刃の高さを選択可能な構造が特開2000−157027号で提案されている。
【特許文献１】特開2000−157027
【発明の開示】
【発明が解決しようとする課題】
【０００４】
しかしながら、特許文献１のような構造は、電池や駆動部を含めて草刈り装置全体を１個の大丸頭十字穴付きなべボルトで支持した状態で草地を滑行し、作業者は立ち姿で装置を単に引く又は押すだけで連続的に草刈り可能にしているため、安定性が悪い。しかも、帽子形のカッター盤の上にドリル駆動部を搭載することは不可能なため、電動ドリル装置と兼用可能な安価で小型の草刈り装置は実現不可能である。
【０００５】
本発明の技術的課題は、このような問題に着目し、電動ドリル装置のドリル駆動部を草刈りにも兼用できると共に、刈り取った後の草丈を一定に揃え、かつ所望の草丈に設定することができ、しかもカッターユニットはモータ部に負担を掛けない軽量簡易で安価な装置を実現することにある。
【課題を解決するための手段】
【０００６】
本発明の技術的課題は次のような手段によって解決される。請求項１は、ドリル駆動部に、ドリルに代えて、草刈りユニットの回転軸を剛体軸又はフレキシブル軸を介して連結可能な構造において、前記の剛体軸又はフレキシブル軸を挿通した連結パイプを介して、草刈りユニットのホルダー部とドリル駆動本体部の取付けアダプターとを連結することにより、ドリル駆動装置で草刈りを可能としたことを特徴とするドリル駆動式の草刈り機である。
【０００７】
このように、電動ドリルのドリル駆動部において、ドリルに代えて、草刈りユニットの回転軸を剛体軸又はフレキシブル軸を介して連結可能な構造を採っている。そのため、草刈りユニットの回転軸とドリル駆動部を剛体軸で連結してもよいが、フレキシブル軸を介して連結した場合は、操作用の長い柄を斜めに取付け可能なため、操作が簡便なうえ、カッター部が足元から離れた前方に位置するので安全でもある。また、前記の剛体軸又はフレキシブル軸を挿通した連結パイプを介して、草刈りユニットのホルダー部とドリル駆動本体部の取付けアダプターとを連結する構造なため、連結パイプで前記の操作用の長い柄を構成すれば、連結パイプを手で操作することによって、草刈りカッターを所望の位置に移動させながら草刈りできる。
【０００８】
請求項２は、前記の草刈りユニットの回転軸を挿通する有底筒体の側壁に１対又は複数対の貫通孔を放射方向に開けて、カッター線材を、対になった貫通孔に挿通して、放射状に取付けてなることを特徴とする請求項１に記載のドリル駆動式の草刈り機である。このように、前記の草刈りユニットの回転軸を挿通する有底筒体の側壁に１対又は複数対の貫通孔を放射方向に開けて、カッター線材を、対になった貫通孔に挿通して、放射状に取付けてなるため、有底筒体を小型軽量化可能で、電動ドリルと兼用タイプの簡易で安価な草刈り装置として最適である。また、モータの負荷も軽減でき、充電式のモータにも適している。
【０００９】
請求項３は、前記の草刈りユニットの回転軸を挿通する円盤にその直径方向の取付け溝を形成し、その溝底面に、帯板状カッターの基部を取付ける構造となっていることを特徴とする請求項１に記載のドリル駆動式の草刈り機である。このように、前記の草刈りユニットの回転軸を挿通する円盤にその直径方向の取付け溝を形成し、その溝底面に、帯板状カッターの基部を取付ける構造となっているため、小型で簡易な円盤に径方向の取付け溝を形成するだけで、帯板状カッター式の小型軽量の草刈りカッターを実現できる。その結果、電動ドリルと兼用タイプの簡易で安価な草刈り装置として最適であり、特に芝刈り用として好適である。また、モータの負荷も軽減でき、充電式のモータにも適している。
【００１０】
請求項４は、前記草刈りユニットの回転軸の先端に安定盤を取付け固定し、該安定盤に対する前記草刈りユニットのカッター手段の高さを選択し設定可能な構造としたことを特徴とする請求項１、請求項２または請求項３に記載のドリル駆動式の草刈り機である。このように、草刈りユニットの回転軸の先端に安定盤を取付け固定する構造なため、安定盤を草地に載せて滑行しながら草刈りできるので、ドリル駆動部や草刈りユニットを持つ負担が軽くなり、楽に作業できる。また、安定盤も常時回転しているので、草地上での滑りもよく、楽に任意の方向に移動できる。しかも、安定盤が常に草地に接しながら移動し、カッター手段の高さが一定するので、全面一定の草丈に管理する必要のある競技場などの草刈りに最適である。さらに、該安定盤に対する草刈りカッター手段の高さを選択し設定可能な構造にしたので、刈り取り後の草丈を選定し設定できる。
【発明の効果】
【００１１】
請求項１のように、電動ドリルのドリル駆動部において、ドリルに代えて、草刈りユニットの回転軸を剛体軸又はフレキシブル軸を介して連結可能な構造を採っているので、フレキシブル軸を介して連結した場合は、操作用の長い柄を斜めに取付け可能なため、操作が簡便なうえ、カッター部が足元から離れた前方に位置するので安全でもある。また、前記の剛体軸又はフレキシブル軸を挿通した連結パイプを介して草刈りユニットのホルダー部とドリル駆動部の本体部とを連結する構造なため、連結パイプで前記の操作用の長い柄を構成すれば、連結パイプを手で操作することによって、草刈りカッターを所望の位置に移動させながら草刈りできる。
【００１２】
請求項２のように、前記の草刈りユニットの回転軸を挿通する有底筒体の側壁に１対又は複数対の貫通孔を放射方向に開けて、カッター線材を、対になった貫通孔に挿通して、放射状に取付けてなるため、有底筒体を小型軽量化可能で、電動ドリルと兼用タイプの簡易で安価な草刈り装置として最適である。また、モータの負荷も軽減でき、充電式のモータにも適している。
【００１３】
請求項３のように、前記の草刈りユニットの回転軸を挿通する円盤にその直径方向の取付け溝を形成し、その溝底面に、帯板状カッターの基部を取付ける構造となっているため、小型で簡易な円盤に径方向の取付け溝を形成するだけで、帯板状カッター式の小型軽量の草刈りカッターを実現できる。その結果、電動ドリルと兼用タイプの簡易で安価な草刈り装置として最適であり、特に芝刈り用として好適である。また、モータの負荷も軽減でき、充電式のモータにも適している。
【００１４】
請求項４のように、草刈りユニットの回転軸の先端に安定盤を取付け固定する構造なため、安定盤を草地に載せて滑行しながら草刈りでき、ドリル駆動部や草刈りユニットを持つ負担が軽くなり、楽に作業できる。また、安定盤も常時回転しているので、草地上での滑りもよく、楽に任意の方向に移動できる。しかも、安定盤が常に草地に接しながら移動し、カッター手段の高さが一定するので、全面一定の草丈に管理する必要のある競技場などの草刈りに最適である。さらに、該安定盤に対する草刈りカッター手段の高さを選択し設定可能なため、刈り取り後の草丈を選定し設定できる。
【発明を実施するための最良の形態】
【００１５】
次に本発明によるドリル駆動式の草刈り機が実際上どのように具体化されるか実施形態を説明する。図１は、本発明によるドリル駆動式の草刈り機の剛体連結式の実施形態を示す側面図である。１はドリル駆動部の本体であり、通常はチャック部２でドリルが締め付け固定されるが、本発明では剛体の連結軸３が締め付け固定される。この連結軸３の下端（先端）３ａに、カッターユニット４のカッター保持体４ａがナット５、６で締め付け固定される。なお、図１のカッター４ｂは合成樹脂製の線材である。
【００１６】
この装置において、駆動本体１のスイッチＳＷをオンすると、内部のモータが始動して、ドリルに代わる連結軸３と共にカッター保持体４ａが回転する。その結果、カッター保持体４ａから放射状に延びた複数本のカッター線材４ｂが高速回転して、雑草や芝がカットされる。
【００１７】
連結軸３が例えば１０〜２０ｃｍと短い場合は、以上の構成だけでも実現できるが、通常は立った状態で駆動本体１を持って草刈りする場合が多いので、連結軸３も５０〜７０ｃｍ程度の長さにする必要がある。その場合は、連結軸３は、回転しない連結パイプ７の中に収納するのが安全である。そして、連結パイプ７の下端には、カッターで跳ねられた石などが作業者の身体に当たるのを防ぐ安全カバー８を取付け固定してある。連結パイプ７の上端は、半円筒状の角のみ用アダプター９を介して駆動本体１に連結固定されている。
【００１８】
この半円筒状アダプター９は、本来は、ドリルで孔あけする際に、半円筒状アダプター９の下端の円筒部９ａを穴あけ装置本体の台座に挿入し、半円筒状アダプター９の上端の締め付け筒部９ｃに駆動本体１の本体円筒部１ａを挿入しボルト９ｂで締め付け固定する際に使用される。本発明でも、この半円筒状アダプター９をそのまま、連結パイプ７の取付けアダプターとして利用する。ただし、長めの操作ハンドル１０をボルト９ｂで取付けて、草刈り時のドリル駆動式の草刈り機の移動操作に利用する。そして、半円筒状の取付けアダプター９の下端の円筒部９ａの内部に、連結パイプ７の上端を挿通した状態で、止めネジ１１で固定すると、連結パイプ７が駆動本体１の本体円筒部１ａに連結固定される。以上の構造において、チャック部２で締め付け固定された連結軸３が長い連結パイプ７の内部を貫通し、下端３ａが連結パイプ７下端から突出して、カッターユニット４が取付け固定された状態となる。
【００１９】
連結軸３の下端３ａには、安定盤１２を設けるのがよい。すなわち、ナット５が一体化された形状の安定盤１２を使用し、草刈り時に安定盤１２が回転しながら草地の上に載った状態で移動する使い方をすれば、安定盤１２が草地の上をスライド移動することになる。その結果、草刈り機の全荷重を安定盤１２で支持することも可能であり、長めの操作ハンドル１０を操作して草刈り機の移動方向をコントロールするだけで草刈りできる。したがって、従来のように草刈り機の駆動部を持つ負担が軽減される。なお、駆動本体１が大型で重い場合は、駆動本体１に肩かけベルト１３を取付けて肩に掛け、駆動本体１の荷重の幾分かを人体で支持する必要がある。
【００２０】
しかしながら、操作ハンドル１０を長くしても、人体の足の近くでカッターが回転するのを怖がる人もいるので、連結パイプ７を斜めにして、カッターユニットを人体から遠ざける構造が望まれる。図２は、このように連結パイプ７を斜めにした実施形態である。この実施形態では、カッターユニットと安全カバー８を取付け支持するホルダー１４を設け、鉛直方向のホルダー１４の上端に連結パイプ７を斜めに取付け固定してある。なお、カッター４ｂをカッター保持体４ａに取付けた状態がカッターユニット４であり、このカッターユニット４とホルダー１４で草刈りユニットが構成される。
【００２１】
ホルダー１４に上下方向の貫通孔を開けて、カッターユニット４を固定する回転軸１５を挿通し、上下両端をベアリングＢ１、Ｂ２でホルダー１４に支持してある。また、斜めの連結パイプ７の下端中にベアリングＢ３を設けて連結軸３ｂを支持し、この連結軸３ｂの下端が嵌入している６角差し込みＣ１（凹状）と前記回転軸１５上端の凹部に嵌入している６角差し込みＣ２（凸状）をフレキシブル軸１６で連結してある。したがって、斜めの連結パイプ７中の連結軸３ｂが回転すると、フレキシブル軸１６を介して、鉛直方向の回転軸１５がホルダー１４中で回転して、下端に取付け固定したカッターユニット４を回転させ、草刈りが行われる。
【００２２】
図２のカッターユニット４は、安定盤１２との間隔を変更することで、安定盤１２に対する高さを調節可能にしてある。すなわち、図１の連結軸３下端３ａに対応する回転軸１５が前記下端ベアリングＢ２を貫通して、ホルダー１４から下部に突出しているが、この突出部に複数個のナットＮ１、Ｎ２を螺合させた状態で、カッターユニット４の取付け孔（図３の中心孔２０）に挿通し、その先端にナットＮ３を螺合させ、さらに安定盤１２のメネジを螺合させて取付け固定してある。
【００２３】
草刈り時に安定盤１２が草地の上に載って回転しながら移動するので、カッター線材４ｂは、ナットＮ３の厚さ分の高さで回転して草をカットすることになる。この状態で、ナットＮ２、Ｎ３とカッターユニット４と安定盤１２を一旦外し、ナットＮ１の下側にカッターユニット４を取付ければ、ナット２個分の高さになる。なお、上端のナットＮ１の上側にカッターユニット４を取付けて、ナット３個分の高さにもできるが、上側のホルダー１４で回転が阻害される恐れがある。安定盤１２とカッターユニット４を重ねて取付けると、カッター線材４ｂの高さは最も低くなる。このように、回転軸１５のホルダー１４から突出した部分を複数のナットＮ１、Ｎ２、Ｎ３とカッターユニット４に挿通し、下端に安定盤１２を取付け固定する構造とし、カッターユニット４の取付け高さを選定することで、カッター線材４ｂの回転高さを選択し、刈り取り後の草丈を選択し設定できる。
【００２４】
図３はカッターユニット４の詳細を示す平面図で、図３（１）は図２のカッターユニット４のみを平面図で示した状態であり、底板１７の中心の貫通孔２０に回転軸１５の下部が挿通される。底板１７を有する円筒体側壁１８の内部から貫通孔１８ｈを通過してカッター線材４ｂが放射状に延びている。そして、円筒体側壁１８の内部において、カッター線材４ｂの折り曲げ部４ｃの上に大型のワッシャー１９を重ねた状態になっている。図２はこの状態であり、大型ワッシャー１９の上から回転軸１５を挿通してあるため、カッター線材の折り曲げ部４ｃが円筒体側壁１８内側において、大型のワッシャー１９と底板１７との間に挟まれた状態で、ナットＮ２、Ｎ３の間に挟持固定されている。なお、図３（２）は、大型ワッシャー１９を除去した状態の平面図であり、円筒体側壁１８の内部において、カッター線材の折り曲げ部４ｃで直角方向に曲げられ、円筒体側壁１８の貫通孔１８ｈから外側に貫通し、２本のカッター線材４ｂとなって放射状に延びている。
【００２５】
図４は、帯板状のカッターを用いたカッターユニット４であり、（１）は、回転軸１５の下部に取付けた状態の側面図、（２）はカッターユニット４のみの平面図である。このカッターユニットは、円盤２１の中心に開けた貫通孔２２に回転軸１５を挿通する。この円盤２１には、（２）図のように、直径方向の取付け溝２３を形成し、その溝底面に、帯板状カッター２４の基部（根元）をネジ２５で取付け固定してある。
【産業上の利用可能性】
【００２６】
以上のように、本発明によると、ドリル駆動式の草刈り機が実現できるだけでなく、カッターユニットが小型軽量なため、ドリル駆動手段で容易に駆動でき、ドリル駆動式の草刈り機の普及が期待できる。また、安定盤を用いると共にカッターユニットの取付け高さを容易に選択し設定できるので、刈り取り後の芝丈を容易に選定し、かつ芝丈を均一化できる。
【図面の簡単な説明】
【００２７】
【図１】本発明によるドリル駆動式の草刈り機の剛体連結式の実施形態を示す側面図である。
【図２】本発明によるドリル駆動式の草刈り機の連結パイプを斜めにした実施形態の側面図である。
【図３】有底筒状のカッターユニットの詳細を示す平面図である。
【図４】帯板状カッター式のカッターユニットの側面図と平面図である。
【符号の説明】
【００２８】
１  ドリル駆動部の本体
２  チャック部
３  連結軸
３ａ  連結軸下端（先端）
４  カッターユニット
４ａ  カッター保持体
４ｂ  カッター線材
４ｃ  折り曲げ部
７  連結パイプ
９  半円筒状アダプター
１２  安定盤
１４  ホルダー
１５  回転軸
１７  底板
１８  円筒体側壁
１８ｈ  貫通孔
１９  ワッシャー
２１  円盤
２２  貫通孔
２３  取付け溝
２４  帯板状カッター
【図１】
2007097552.tif 000003
【図２】
2007097552.tif 000004
【図３】
2007097552.tif 000005
【図４】
2007097552.tif 000006
【手続補正書】
【提出日】平成18年6月28日(2006.6.28)
【手続補正１】
【補正対象書類名】特許請求の範囲
【補正対象項目名】全文
【補正方法】変更
【補正の内容】
【特許請求の範囲】
【請求項１】
ドリル駆動部に、ドリルに代えて、草刈りユニットの回転軸を剛体軸又はフレキシブル軸を介して連結することによって、立った状態で草刈りする構造において、
前記の剛体軸又はフレキシブル軸を挿通した長い連結パイプを介して、草刈りユニットのホルダー部とドリル駆動本体部の取付けアダプターとを連結したこと、
前記草刈りユニットの回転軸の先端に、草刈り機の全荷重を受ける安定盤を取付け固定し、該安定盤に対する前記草刈りユニットのカッター手段の高さを選択し設定可能な構造としたことにより、
ドリル駆動装置で草刈りを可能としたことを特徴とするドリル駆動式の草刈り機。
【請求項２】
前記の草刈りユニットの回転軸を挿通する有底筒体の側壁に１対又は複数対の貫通孔を放射方向に開けて、カッター線材を、対になった貫通孔に挿通して放射状に取付け、その上にワッシャーを重ねてなることを特徴とする請求項１に記載のドリル駆動式の草刈り機。
【請求項３】
前記の草刈りユニットの回転軸を挿通する円盤にその直径方向の取付け溝を形成し、その溝底面に２本の帯板状カッターの基部をそれぞれ取付ける構造となっていることを特徴とする請求項１に記載のドリル駆動式の草刈り機。
【請求項４】
前記の取付けアダプターは、操作ハンドルを取付け可能であり、かつ半円筒状部の下端の円筒部内に前記連結パイプの上端を挿通して固定すると、連結パイプが駆動本体の本体円筒部に連結固定される構造としたことを特徴とする請求項１、請求項２または請求項３に記載のドリル駆動式の草刈り機。
【手続補正２】
【補正対象書類名】明細書
【補正対象項目名】全文
【補正方法】変更
【補正の内容】
【発明の詳細な説明】
【技術分野】
【０００１】
本発明は、孔開け用の電動ドリル装置を用いて草刈りを可能としたドリル駆動式の草刈り機に関する。
【背景技術】
【０００２】
ドリルで木材や金属に孔あけする場合は電動式が多用されるが、日曜大工などに備えて、電動ドリルも一般家庭まで普及してきている。しかも、比較的小型なため、特別なスペースが無くても保管できる。一方、芝刈りや雑草の刈り取りに用いる草刈り機は比較的大型なため、大きな収納スペースを要する。そのため、電動ドリル装置と違って、一般家庭まで普及していないのが現状である。したがって、広く普及している電動ドリル装置を草刈りにも兼用できると便利である。
【０００３】
さらに、芝刈りなどの際に、刈り取った後の芝の丈を一定に揃えたり、草丈を所望の高さに設定できると、芝刈り後の美観の上でも好都合である。このような問題を解消すべく、帽子形のカッター盤の周囲に数個のカッターを取付け、高さの異なる数個のナットを変換することによって、カッター刃の高さを選択可能な構造が特開2000−157027号で提案されている。
【特許文献１】特開2000−157027
【発明の開示】
【発明が解決しようとする課題】
【０００４】
しかしながら、特許文献１のような構造は、電池や駆動部を含めて草刈り装置全体を１個の大丸頭十字穴付きなべボルトで支持した状態で草地を滑行し、作業者は立ち姿で装置を単に引く又は押すだけで連続的に草刈り可能にしているため、安定性が悪い。しかも、帽子形のカッター盤の上にドリル駆動部を搭載することは不可能なため、電動ドリル装置と兼用可能な安価で小型の草刈り装置は実現不可能である。
【０００５】
本発明の技術的課題は、このような問題に着目し、電動ドリル装置のドリル駆動部を草刈りにも兼用できると共に、刈り取った後の草丈を一定に揃え、かつ所望の草丈に設定することができ、しかもカッターユニットはモータ部に負担を掛けない軽量簡易で安価な装置を実現することにある。
【課題を解決するための手段】
【０００６】
本発明の技術的課題は次のような手段によって解決される。請求項１は、ドリル駆動部に、ドリルに代えて、草刈りユニットの回転軸を剛体軸又はフレキシブル軸を介して連結することによって、立った状態で草刈りする構造において、
前記の剛体軸又はフレキシブル軸を挿通した長い連結パイプを介して、草刈りユニットのホルダー部とドリル駆動本体部の取付けアダプターとを連結したこと、
前記草刈りユニットの回転軸の先端に、草刈り機の全荷重を受ける安定盤を取付け固定し、該安定盤に対する前記草刈りユニットのカッター手段の高さを選択し設定可能な構造としたことにより、
ドリル駆動装置で草刈りを可能としたことを特徴とするドリル駆動式の草刈り機である。
【０００７】
このように、電動ドリルのドリル駆動部において、ドリルに代えて、草刈りユニットの回転軸を剛体軸又はフレキシブル軸を介して連結可能な構造を採っている。そのため、草刈りユニットの回転軸とドリル駆動部を剛体軸で連結してもよいが、フレキシブル軸を介して連結した場合は、操作用の長い柄を斜めに取付け可能なため、操作が簡便なうえ、カッター部が足元から離れた前方に位置するので安全でもある。また、前記の剛体軸又はフレキシブル軸を挿通した長い連結パイプを介して、草刈りユニットのホルダー部とドリル駆動本体部の取付けアダプターとを連結する構造なため、連結パイプで前記の操作用の長い柄を構成すれば、連結パイプを手で操作することによって、草刈りカッターを所望の位置に移動させながら草刈りできる。
さらに、草刈りユニットの回転軸の先端に、草刈り機の全荷重を受ける安定盤を取付け固定した構造なため、安定盤を草地に載せて滑行しながら草刈りできると共に、草刈り機の全荷重を１個の安定盤１２だけで支持することが可能で、ドリル駆動部や草刈りユニットを持つ負担が軽くなり、楽に作業できる。また、安定盤も常時回転しているので、草地上での滑りもよく、楽に任意の方向に移動できる。しかも、安定盤が常に草地に接しながら移動し、カッター手段の高さが一定するので、全面一定の草丈に管理する必要のある競技場などの草刈りに最適である。さらに、該安定盤に対する草刈りカッター手段の高さを選択し設定可能な構造にしたので、刈り取り時の草丈を選定し設定できる。
【０００８】
請求項２は、前記の草刈りユニットの回転軸を挿通する有底筒体の側壁に１対又は複数対の貫通孔を放射方向に開けて、カッター線材を、対になった貫通孔に挿通して放射状に取付け、その上にワッシャーを重ねてなることを特徴とする請求項１に記載のドリル駆動式の草刈り機である。このように、前記の草刈りユニットの回転軸を挿通する有底筒体の側壁に１対又は複数対の貫通孔を放射方向に開けて、カッター線材を、対になった貫通孔に挿通して放射状に取付け、その上にワッシャー１９を重ねてなるため、カッター線材を支持する有底筒体を小型軽量化可能で、電動ドリルと兼用タイプの簡易で安価な草刈り装置として最適である。また、モータの負荷も軽減でき、充電式のモータにも適している。
【０００９】
請求項３は、前記の草刈りユニットの回転軸を挿通する円盤にその直径方向の取付け溝を形成し、その溝底面に２本の帯板状カッターの基部をそれぞれ取付ける構造となっていることを特徴とする請求項１に記載のドリル駆動式の草刈り機である。このように、前記の草刈りユニットの回転軸を挿通する円盤にその直径方向の取付け溝を形成し、その溝底面に２本の帯板状カッターの基部をそれぞれ取付ける構造となっているため、小型で簡易な円盤に径方向の取付け溝を形成するだけで、帯板状カッター式の小型軽量の草刈りカッターを実現できる。その結果、電動ドリルと兼用タイプの簡易で安価な草刈り装置として最適であり、特に芝刈り用として好適である。また、モータの負荷も軽減でき、充電式のモータにも適している。
【００１０】
請求項４は、前記の取付けアダプターは、操作ハンドル１０を取付け可能であり、かつ半円筒状部の下端の円筒部９ａ内に前記連結パイプ７の上端を挿通して固定すると、連結パイプ７が駆動本体１の本体円筒部１ａに連結固定される構造としたことを特徴とする請求項１、請求項２または請求項３に記載のドリル駆動式の草刈り機である。このように、前記の取付けアダプターは、操作ハンドル１０を取付け可能なため、操作ハンドルを、草刈り時のドリル駆動式の草刈り機の移動操作に利用できる。また、取付けアダプターの半円筒状部の下端の円筒部９ａ内に前記連結パイプ７の上端を挿通して固定すると、連結パイプ７が駆動本体１の本体円筒部１ａに連結固定されるため、連結パイプ７を介して草刈りユニットのホルダー部とドリル駆動部の本体部とを連結する構造となる。その結果、前記操作ハンドル１０を利用して連結パイプを手で操作することによって、草刈りカッターを所望の位置に移動させながら草刈りできる。
【発明の効果】
【００１１】
請求項１のように、電動ドリルのドリル駆動部において、ドリルに代えて、草刈りユニットの回転軸を剛体軸又はフレキシブル軸を介して連結可能な構造を採っている。そのため、草刈りユニットの回転軸とドリル駆動部を剛体軸で連結してもよいが、フレキシブル軸を介して連結した場合は、操作用の長い柄を斜めに取付け可能なため、操作が簡便なうえ、カッター部が足元から離れた前方に位置するので安全でもある。また、前記の剛体軸又はフレキシブル軸を挿通した長い連結パイプを介して、草刈りユニットのホルダー部とドリル駆動本体部の取付けアダプターとを連結する構造なため、連結パイプで前記の操作用の長い柄を構成すれば、連結パイプを手で操作することによって、草刈りカッターを所望の位置に移動させながら草刈りできる。
さらに、草刈りユニットの回転軸の先端に、草刈り機の全荷重を受ける安定盤を取付け固定した構造なため、安定盤を草地に載せて滑行しながら草刈りできると共に、草刈り機の全荷重を１個の安定盤１２だけで支持することが可能で、ドリル駆動部や草刈りユニットを持つ負担が軽くなり、楽に作業できる。また、安定盤も常時回転しているので、草地上での滑りもよく、楽に任意の方向に移動できる。しかも、安定盤が常に草地に接しながら移動し、カッター手段の高さが一定するので、全面一定の草丈に管理する必要のある競技場などの草刈りに最適である。さらに、該安定盤に対する草刈りカッター手段の高さを選択し設定可能な構造にしたので、刈り取り時の草丈を選定し設定できる。
【００１２】
請求項２のように、前記の草刈りユニットの回転軸を挿通する有底筒体の側壁に１対又は複数対の貫通孔を放射方向に開けて、カッター線材を、対になった貫通孔に挿通して放射状に取付け、その上にワッシャー１９を重ねてなるため、カッター線材を支持する有底筒体を小型軽量化可能で、電動ドリルと兼用タイプの簡易で安価な草刈り装置として最適である。また、モータの負荷も軽減でき、充電式のモータにも適している。
【００１３】
請求項３のように、前記の草刈りユニットの回転軸を挿通する円盤にその直径方向の取付け溝を形成し、その溝底面に２本の帯板状カッターの基部をそれぞれ取付ける構造となっているため、小型で簡易な円盤に径方向の取付け溝を形成するだけで、帯板状カッター式の小型軽量の草刈りカッターを実現できる。その結果、電動ドリルと兼用タイプの簡易で安価な草刈り装置として最適であり、特に芝刈り用として好適である。また、モータの負荷も軽減でき、充電式のモータにも適している。
【００１４】
請求項４のように、前記の取付けアダプターは、操作ハンドル１０を取付け可能なため、操作ハンドルを、草刈り時のドリル駆動式の草刈り機の移動操作に利用できる。また、取付けアダプターの半円筒状部の下端の円筒部９ａ内に前記連結パイプ７の上端を挿通して固定すると、連結パイプ７が駆動本体１の本体円筒部１ａに連結固定されるため、連結パイプ７を介して草刈りユニットのホルダー部とドリル駆動部の本体部とを連結する構造となる。その結果、前記操作ハンドル１０を利用して連結パイプを手で操作することによって、草刈りカッターを所望の位置に移動させながら草刈りできる。
【発明を実施するための最良の形態】
【００１５】
次に本発明によるドリル駆動式の草刈り機が実際上どのように具体化されるか実施形態を説明する。図１は、本発明によるドリル駆動式の草刈り機の剛体連結式の実施形態を示す側面図である。１はドリル駆動部の本体であり、通常はチャック部２でドリルが締め付け固定されるが、本発明では剛体の連結軸３が締め付け固定される。この連結軸３の下端（先端）３ａに、カッターユニット４のカッター保持体４ａがナット５、６で締め付け固定される。なお、図１のカッター４ｂは合成樹脂製の線材である。
【００１６】
この装置において、駆動本体１のスイッチＳＷをオンすると、内部のモータが始動して、ドリルに代わる連結軸３と共にカッター保持体４ａが回転する。その結果、カッター保持体４ａから放射状に延びた複数本のカッター線材４ｂが高速回転して、雑草や芝がカットされる。
【００１７】
連結軸３が例えば１０〜２０ｃｍと短い場合は、以上の構成だけでも実現できるが、通常は立った状態で駆動本体１を持って草刈りする場合が多いので、連結軸３も５０〜７０ｃｍ程度の長さにする必要がある。その場合は、連結軸３は、回転しない連結パイプ７の中に収納するのが安全である。そして、連結パイプ７の下端には、カッターで跳ねられた石などが作業者の身体に当たるのを防ぐ安全カバー８を取付け固定してある。連結パイプ７の上端は、半円筒状の角のみ用アダプター９を介して駆動本体１に連結固定されている。
【００１８】
この半円筒状アダプター９は、本来は、ドリルで孔あけする際に、半円筒状アダプター９の下端の円筒部９ａを穴あけ装置本体の台座に挿入し、半円筒状アダプター９の上端の締め付け筒部９ｃに駆動本体１の本体円筒部１ａを挿入しボルト９ｂで締め付け固定する際に使用される。本発明でも、この半円筒状アダプター９をそのまま、連結パイプ７の取付けアダプターとして利用する。ただし、長めの操作ハンドル１０をボルト９ｂで取付けて、草刈り時のドリル駆動式の草刈り機の移動操作に利用する。そして、半円筒状の取付けアダプター９の下端の円筒部９ａの内部に、連結パイプ７の上端を挿通した状態で、止めネジ１１で固定すると、連結パイプ７が駆動本体１の本体円筒部１ａに連結固定される。以上の構造において、チャック部２で締め付け固定された連結軸３が長い連結パイプ７の内部を貫通し、下端３ａが連結パイプ７下端から突出して、カッターユニット４が取付け固定された状態となる。
【００１９】
連結軸３の下端３ａには、安定盤１２を設けるのがよい。すなわち、ナット５が一体化された形状の安定盤１２を使用し、草刈り時に安定盤１２が回転しながら草地の上に載った状態で移動する使い方をすれば、安定盤１２が草地の上をスライド移動することになる。その結果、草刈り機の全荷重を安定盤１２で支持することも可能であり、長めの操作ハンドル１０を操作して草刈り機の移動方向をコントロールするだけで草刈りできる。したがって、従来のように草刈り機の駆動部を持つ負担が軽減される。なお、駆動本体１が大型で重い場合は、駆動本体１に肩かけベルト１３を取付けて肩に掛け、駆動本体１の荷重の幾分かを人体で支持する必要がある。
【００２０】
しかしながら、操作ハンドル１０を長くしても、人体の足の近くでカッターが回転するのを怖がる人もいるので、連結パイプ７を斜めにして、カッターユニットを人体から遠ざける構造が望まれる。図２は、このように連結パイプ７を斜めにした実施形態である。この実施形態では、カッターユニットと安全カバー８を取付け支持するホルダー１４を設け、鉛直方向のホルダー１４の上端に連結パイプ７を斜めに取付け固定してある。なお、カッター４ｂをカッター保持体４ａに取付けた状態がカッターユニット４であり、このカッターユニット４とホルダー１４で草刈りユニットが構成される。
【００２１】
ホルダー１４に上下方向の貫通孔を開けて、カッターユニット４を固定する回転軸１５を挿通し、上下両端をベアリングＢ１、Ｂ２でホルダー１４に支持してある。また、斜めの連結パイプ７の下端中にベアリングＢ３を設けて連結軸３ｂを支持し、この連結軸３ｂの下端が嵌入している６角差し込みＣ１（凹状）と前記回転軸１５上端の凹部に嵌入している６角差し込みＣ２（凸状）をフレキシブル軸１６で連結してある。したがって、斜めの連結パイプ７中の連結軸３ｂが回転すると、フレキシブル軸１６を介して、鉛直方向の回転軸１５がホルダー１４中で回転して、下端に取付け固定したカッターユニット４を回転させ、草刈りが行われる。
【００２２】
図２のカッターユニット４は、安定盤１２との間隔を変更することで、安定盤１２に対する高さを調節可能にしてある。すなわち、図１の連結軸３下端３ａに対応する回転軸１５が前記下端ベアリングＢ２を貫通して、ホルダー１４から下部に突出しているが、この突出部に複数個のナットＮ１、Ｎ２を螺合させた状態で、カッターユニット４の取付け孔（図３の中心孔２０）に挿通し、その先端にナットＮ３を螺合させ、さらに安定盤１２のメネジを螺合させて取付け固定してある。
【００２３】
草刈り時に安定盤１２が草地の上に載って回転しながら移動するので、カッター線材４ｂは、ナットＮ３の厚さ分の高さで回転して草をカットすることになる。この状態で、ナットＮ２、Ｎ３とカッターユニット４と安定盤１２を一旦外し、ナットＮ１の下側にカッターユニット４を取付ければ、ナット２個分の高さになる。なお、上端のナットＮ１の上側にカッターユニット４を取付けて、ナット３個分の高さにもできるが、上側のホルダー１４で回転が阻害される恐れがある。安定盤１２とカッターユニット４を重ねて取付けると、カッター線材４ｂの高さは最も低くなる。このように、回転軸１５のホルダー１４から突出した部分を複数のナットＮ１、Ｎ２、Ｎ３とカッターユニット４に挿通し、下端に安定盤１２を取付け固定する構造とし、カッターユニット４の取付け高さを選定することで、カッター線材４ｂの回転高さを選択し、刈り取り後の草丈を選択し設定できる。
【００２４】
図３はカッターユニット４の詳細を示す平面図で、図３（１）は図２のカッターユニット４のみを平面図で示した状態であり、底板１７の中心の貫通孔２０に回転軸１５の下部が挿通される。底板１７を有する円筒体側壁１８の内部から貫通孔１８ｈを通過してカッター線材４ｂが放射状に延びている。そして、円筒体側壁１８の内部において、カッター線材４ｂの折り曲げ部４ｃの上に大型のワッシャー１９を重ねた状態になっている。図２はこの状態であり、大型ワッシャー１９の上から回転軸１５を挿通してあるため、カッター線材の折り曲げ部４ｃが円筒体側壁１８内側において、大型のワッシャー１９と底板１７との間に挟まれた状態で、ナットＮ２、Ｎ３の間に挟持固定されている。なお、図３（２）は、大型ワッシャー１９を除去した状態の平面図であり、円筒体側壁１８の内部において、カッター線材の折り曲げ部４ｃで直角方向に曲げられ、円筒体側壁１８の貫通孔１８ｈから外側に貫通し、２本のカッター線材４ｂとなって放射状に延びている。
【００２５】
図４は、帯板状のカッターを用いたカッターユニット４であり、（１）は、回転軸１５の下部に取付けた状態の側面図、（２）はカッターユニット４のみの平面図である。このカッターユニットは、円盤２１の中心に開けた貫通孔２２に回転軸１５を挿通する。この円盤２１には、（２）図のように、直径方向の取付け溝２３を形成し、その溝底面に、帯板状カッター２４の基部（根元）をネジ２５で取付け固定してある。
【産業上の利用可能性】
【００２６】
以上のように、本発明によると、ドリル駆動式の草刈り機が実現できるだけでなく、カッターユニットが小型軽量なため、ドリル駆動手段で容易に駆動でき、ドリル駆動式の草刈り機の普及が期待できる。また、安定盤を用いると共にカッターユニットの取付け高さを容易に選択し設定できるので、刈り取り後の芝丈を容易に選定し、かつ芝丈を均一化できる。
【図面の簡単な説明】
【００２７】
【図１】本発明によるドリル駆動式の草刈り機の剛体連結式の実施形態を示す側面図である。
【図２】本発明によるドリル駆動式の草刈り機の連結パイプを斜めにした実施形態の側面図である。
【図３】有底筒状のカッターユニットの詳細を示す平面図である。
【図４】帯板状カッター式のカッターユニットの側面図と平面図である。
【符号の説明】
【００２８】
１  ドリル駆動部の本体
２  チャック部
３  連結軸
３ａ  連結軸下端（先端）
４  カッターユニット
４ａ  カッター保持体
４ｂ  カッター線材
４ｃ  折り曲げ部
７  連結パイプ
９  半円筒状アダプター
１２  安定盤
１４  ホルダー
１５  回転軸
１７  底板
１８  円筒体側壁
１８ｈ  貫通孔
１９  ワッシャー
２１  円盤
２２  貫通孔
２３  取付け溝
２４  帯板状カッター
【手続補正書】
【提出日】平成18年10月2日(2006.10.2)
【手続補正１】
【補正対象書類名】特許請求の範囲
【補正対象項目名】全文
【補正方法】変更
【補正の内容】
【特許請求の範囲】
【請求項１】
電動ドリル装置のドリル駆動部に、ドリルに代えて、草刈りユニットの回転軸を剛体軸および／又はフレキシブル軸を介して連結することによって、立った状態で草刈りする構造において、
前記の剛体軸および／又はフレキシブル軸を挿通した連結パイプを介して、草刈りユニットのホルダー部とドリル駆動本体部の取付けアダプターとを連結したこと、
前記の取付けアダプターは、操作ハンドルを取付け可能であり、かつ半円筒状部の下端の円筒部内に前記連結パイプの上端を挿通して固定すると、連結パイプが前記半円筒状部を介してドリル駆動本体の本体円筒部に連結固定される構造としたこと、
前記草刈りユニットの回転軸のホルダー部から突出した部分を複数のナットとカッターユニットに挿通し、回転軸先端に、草刈り機の全荷重を受ける安定盤を取付け固定すると共に、前記カッターユニットと安定盤との間に前記ナットを取付け増減することによって、前記安定盤に対する前記草刈りユニットのカッター手段の高さを選択し設定可能な構造としたことにより、
電動ドリル装置で草刈りを可能としたことを特徴とするドリル駆動式の草刈り機。
【請求項２】
前記の草刈りユニットの回転軸を挿通する有底筒体の側壁に１対又は複数対の貫通孔を放射方向に開けて、カッター線材を、対になった貫通孔に挿通して放射状に取付け、その上にワッシャーを重ねてなることを特徴とする請求項１に記載のドリル駆動式の草刈り機。
【請求項３】
前記の草刈りユニットの回転軸を挿通する円盤にその直径方向の取付け溝を形成し、その溝底面に２本の帯板状カッターの基部をそれぞれ取付ける構造となっていることを特徴とする請求項１に記載のドリル駆動式の草刈り機。
【手続補正２】
【補正対象書類名】明細書
【補正対象項目名】全文
【補正方法】変更
【補正の内容】
【発明の詳細な説明】
【技術分野】
【０００１】
本発明は、孔開け用の電動ドリル装置を用いて草刈りを可能としたドリル駆動式の草刈り機に関する。
【背景技術】
【０００２】
ドリルで木材や金属に孔あけする場合は電動式が多用されるが、日曜大工などに備えて、電動ドリルも一般家庭まで普及してきている。しかも、比較的小型なため、特別なスペースが無くても保管できる。一方、芝刈りや雑草の刈り取りに用いる草刈り機は比較的大型なため、大きな収納スペースを要する。そのため、電動ドリル装置と違って、一般家庭まで普及していないのが現状である。したがって、広く普及している電動ドリル装置を草刈りにも兼用できると便利である。
【０００３】
さらに、芝刈りなどの際に、刈り取った後の芝の丈を一定に揃えたり、草丈を所望の高さに設定できると、芝刈り後の美観の上でも好都合である。このような問題を解消すべく、帽子形のカッター盤の周囲に数個のカッターを取付け、高さの異なる数個のナットを変換することによって、カッター刃の高さを選択可能な構造が特開2000−157027号で提案されている。
【特許文献１】特開2000−157027
【発明の開示】
【発明が解決しようとする課題】
【０００４】
しかしながら、特許文献１のような構造は、電池や駆動部を含めて草刈り装置全体を１個の大丸頭十字穴付きなべボルトで支持した状態で草地を滑行し、作業者は立ち姿で装置を単に引く又は押すだけで連続的に草刈り可能にしているため、安定性が悪い。しかも、帽子形のカッター盤の上にドリル駆動部を搭載することは不可能なため、電動ドリル装置と兼用可能な安価で小型の草刈り装置は実現不可能である。
【０００５】
本発明の技術的課題は、このような問題に着目し、電動ドリル装置のドリル駆動部を草刈りにも兼用できると共に、刈り取った後の草丈を一定に揃え、かつ所望の草丈に設定することができ、しかもカッターユニットはモータ部に負担を掛けない軽量簡易で安価な装置を実現することにある。
【課題を解決するための手段】
【０００６】
本発明の技術的課題は次のような手段によって解決される。請求項１は、電動ドリル装置のドリル駆動部に、ドリルに代えて、草刈りユニットの回転軸を剛体軸および／又はフレキシブル軸を介して連結することによって、立った状態で草刈りする構造において、
前記の剛体軸および／又はフレキシブル軸を挿通した連結パイプを介して、草刈りユニットのホルダー部とドリル駆動本体部の取付けアダプターとを連結したこと、
前記の取付けアダプターは、操作ハンドルを取付け可能であり、かつ半円筒状部の下端の円筒部内に前記連結パイプの上端を挿通して固定すると、連結パイプが前記半円筒状部を介してドリル駆動本体の本体円筒部に連結固定される構造としたこと、
前記草刈りユニットの回転軸のホルダー部から突出した部分を複数のナットとカッターユニットに挿通し、回転軸先端に、草刈り機の全荷重を受ける安定盤を取付け固定すると共に、前記カッターユニットと安定盤との間に前記ナットを取付け増減することによって、前記安定盤に対する前記草刈りユニットのカッター手段の高さを選択し設定可能な構造としたことにより、
電動ドリル装置で草刈りを可能としたことを特徴とするドリル駆動式の草刈り機である。
【０００７】
このように、電動ドリルのドリル駆動部において、ドリルに代えて、草刈りユニットの回転軸を剛体軸および／又はフレキシブル軸を介して連結可能な構造を採っている。そのため、草刈りユニットの回転軸とドリル駆動部を剛体軸で連結してもよいが、フレキシブル軸を介して連結した場合は、操作用の長い柄を斜めに取付け可能なため、操作が簡便なうえ、カッター部が足元から離れた前方に位置するので安全でもある。また、前記の剛体軸および／又はフレキシブル軸を挿通した連結パイプを介して、草刈りユニットのホルダー部とドリル駆動本体部の取付けアダプターとを連結する構造なため、連結パイプで前記の操作用の長い柄を構成すれば、連結パイプを手で操作することによって、草刈りカッターを所望の位置に移動させながら草刈りできる。
また、前記の取付けアダプターは、操作ハンドルを取付け可能であるため、操作ハンドルを操作して草刈り機の移動方向をコントロールするだけで草刈りできる。したがって、従来のように草刈り機の駆動部を持つ負担が軽減される。なお、駆動本体１が大型で重い場合は、駆動本体１に肩かけベルト１３を取付けて肩に掛け、駆動本体１の荷重の幾分かを人体で支持する必要がある。
しかも、半円筒状部の下端の円筒部内に前記連結パイプの上端を挿通して固定すると、連結パイプが半円筒状部を介してドリル駆動本体の本体円筒部に連結固定される構造としたため、チャック部２で締め付け固定された連結軸３が長い連結パイプ７の内部を貫通し、下端３ａが連結パイプ７下端から突出して、カッターユニット４が取付け固定された状態となる。そして、連結パイプ７を介して草刈りユニットのホルダー部とドリル駆動部の本体部とを連結する構造となるので、前記操作ハンドル１０を利用して連結パイプを操作することによって、草刈りカッターを所望の位置に移動させながら草刈りできる。
さらに、前記草刈りユニットの回転軸のホルダー部から突出した部分を複数のナットとカッターユニットに挿通し、回転軸先端に、草刈り機の全荷重を受ける安定盤を取付け固定すると共に、前記カッターユニットと安定盤との間に前記ナットを取付け増減することによって、前記安定盤に対する草刈りカッター手段の高さを選択し設定可能な構造にしたので、刈り取り時の草丈を選定し設定できる。
【０００８】
請求項２は、前記の草刈りユニットの回転軸を挿通する有底筒体の側壁に１対又は複数対の貫通孔を放射方向に開けて、カッター線材を、対になった貫通孔に挿通して放射状に取付け、その上にワッシャーを重ねてなることを特徴とする請求項１に記載のドリル駆動式の草刈り機である。このように、前記の草刈りユニットの回転軸を挿通する有底筒体の側壁に１対又は複数対の貫通孔を放射方向に開けて、カッター線材を、対になった貫通孔に挿通して放射状に取付け、その上にワッシャー１９を重ねてなるため、カッター線材を支持する有底筒体を小型軽量化可能で、電動ドリルと兼用タイプの簡易で安価な草刈り装置として最適である。また、モータの負荷も軽減でき、充電式のモータにも適している。
【０００９】
請求項３は、前記の草刈りユニットの回転軸を挿通する円盤にその直径方向の取付け溝を形成し、その溝底面に２本の帯板状カッターの基部をそれぞれ取付ける構造となっていることを特徴とする請求項１に記載のドリル駆動式の草刈り機である。このように、前記の草刈りユニットの回転軸を挿通する円盤にその直径方向の取付け溝を形成し、その溝底面に２本の帯板状カッターの基部をそれぞれ取付ける構造となっているため、小型で簡易な円盤に径方向の取付け溝を形成するだけで、帯板状カッター式の小型軽量の草刈りカッターを実現できる。その結果、電動ドリルと兼用タイプの簡易で安価な草刈り装置として最適であり、特に芝刈り用として好適である。また、モータの負荷も軽減でき、充電式のモータにも適している。
【発明の効果】
【００１０】
請求項１のように、電動ドリルのドリル駆動部において、ドリルに代えて、草刈りユニットの回転軸を剛体軸および／又はフレキシブル軸を介して連結可能な構造を採っている。そのため、草刈りユニットの回転軸とドリル駆動部を剛体軸で連結してもよいが、フレキシブル軸を介して連結した場合は、操作用の長い柄を斜めに取付け可能なため、操作が簡便なうえ、カッター部が足元から離れた前方に位置するので安全でもある。また、前記の剛体軸および／又はフレキシブル軸を挿通した連結パイプを介して、草刈りユニットのホルダー部とドリル駆動本体部の取付けアダプターとを連結する構造なため、連結パイプで前記の操作用の長い柄を構成すれば、連結パイプを手で操作することによって、草刈りカッターを所望の位置に移動させながら草刈りできる。
また、前記の取付けアダプターは、操作ハンドルを取付け可能であるため、操作ハンドルを操作して草刈り機の移動方向をコントロールするだけで草刈りできる。したがって、従来のように草刈り機の駆動部を持つ負担が軽減される。なお、駆動本体１が大型で重い場合は、駆動本体１に肩かけベルト１３を取付けて肩に掛け、駆動本体１の荷重の幾分かを人体で支持する必要がある。
しかも、半円筒状部の下端の円筒部内に前記連結パイプの上端を挿通して固定すると、連結パイプが半円筒状部を介してドリル駆動本体の本体円筒部に連結固定される構造としたため、チャック部２で締め付け固定された連結軸３が長い連結パイプ７の内部を貫通し、下端３ａが連結パイプ７下端から突出して、カッターユニット４が取付け固定された状態となる。そして、連結パイプ７を介して草刈りユニットのホルダー部とドリル駆動部の本体部とを連結する構造となるので、前記操作ハンドル１０を利用して連結パイプを操作することによって、草刈りカッターを所望の位置に移動させながら草刈りできる。
さらに、前記草刈りユニットの回転軸のホルダー部から突出した部分を複数のナットとカッターユニットに挿通し、回転軸先端に、草刈り機の全荷重を受ける安定盤を取付け固定すると共に、前記カッターユニットと安定盤との間に前記ナットを取付け増減することによって、前記安定盤に対する草刈りカッター手段の高さを選択し設定可能な構造にしたので、刈り取り時の草丈を選定し設定できる。
【００１１】
請求項２のように、前記の草刈りユニットの回転軸を挿通する有底筒体の側壁に１対又は複数対の貫通孔を放射方向に開けて、カッター線材を、対になった貫通孔に挿通して放射状に取付け、その上にワッシャー１９を重ねてなるため、カッター線材を支持する有底筒体を小型軽量化可能で、電動ドリルと兼用タイプの簡易で安価な草刈り装置として最適である。また、モータの負荷も軽減でき、充電式のモータにも適している。
【００１２】
請求項３のように、前記の草刈りユニットの回転軸を挿通する円盤にその直径方向の取付け溝を形成し、その溝底面に２本の帯板状カッターの基部をそれぞれ取付ける構造となっているため、小型で簡易な円盤に径方向の取付け溝を形成するだけで、帯板状カッター式の小型軽量の草刈りカッターを実現できる。その結果、電動ドリルと兼用タイプの簡易で安価な草刈り装置として最適であり、特に芝刈り用として好適である。また、モータの負荷も軽減でき、充電式のモータにも適している。
【発明を実施するための最良の形態】
【００１３】
次に本発明によるドリル駆動式の草刈り機が実際上どのように具体化されるか実施形態を説明する。図１は、本発明によるドリル駆動式の草刈り機の剛体連結式の実施形態を示す側面図である。１はドリル駆動部の本体であり、通常はチャック部２でドリルが締め付け固定されるが、本発明では剛体の連結軸３が締め付け固定される。この連結軸３の下端（先端）３ａに、カッターユニット４のカッター保持体４ａがナット５、６で締め付け固定される。なお、図１のカッター４ｂは合成樹脂製の線材である。
【００１４】
この装置において、駆動本体１のスイッチＳＷをオンすると、内部のモータが始動して、ドリルに代わる連結軸３と共にカッター保持体４ａが回転する。その結果、カッター保持体４ａから放射状に延びた複数本のカッター線材４ｂが高速回転して、雑草や芝がカットされる。
【００１５】
連結軸３が例えば１０〜２０ｃｍと短い場合は、以上の構成だけでも実現できるが、通常は立った状態で駆動本体１を持って草刈りする場合が多いので、連結軸３も５０〜７０ｃｍ程度の長さにする必要がある。その場合は、連結軸３は、回転しない連結パイプ７の中に収納するのが安全である。そして、連結パイプ７の下端には、カッターで跳ねられた石などが作業者の身体に当たるのを防ぐ安全カバー８を取付け固定してある。連結パイプ７の上端は、半円筒状の角のみ用アダプター９を介して駆動本体１に連結固定されている。
【００１６】
この半円筒状アダプター９は、本来は、ドリルで孔あけする際に、半円筒状アダプター９の下端の円筒部９ａを穴あけ装置本体の台座に挿入し、半円筒状アダプター９の上端の締め付け筒部９ｃに駆動本体１の本体円筒部１ａを挿入しボルト９ｂで締め付け固定する際に使用される。本発明でも、この半円筒状アダプター９をそのまま、連結パイプ７の取付けアダプターとして利用する。ただし、長めの操作ハンドル１０をボルト９ｂで取付けて、草刈り時のドリル駆動式の草刈り機の移動操作に利用する。そして、半円筒状の取付けアダプター９の下端の円筒部９ａの内部に、連結パイプ７の上端を挿通した状態で、止めネジ１１で固定すると、連結パイプ７が駆動本体１の本体円筒部１ａに連結固定される。以上の構造において、チャック部２で締め付け固定された連結軸３が長い連結パイプ７の内部を貫通し、下端３ａが連結パイプ７下端から突出して、カッターユニット４が取付け固定された状態となる。
【００１７】
連結軸３の下端３ａには、安定盤１２を設けるのがよい。すなわち、ナット５が一体化された形状の安定盤１２を使用し、草刈り時に安定盤１２が回転しながら草地の上に載った状態で移動する使い方をすれば、安定盤１２が草地の上をスライド移動することになる。その結果、草刈り機の全荷重を安定盤１２で支持することも可能であり、長めの操作ハンドル１０を操作して草刈り機の移動方向をコントロールするだけで草刈りできる。したがって、従来のように草刈り機の駆動部を持つ負担が軽減される。なお、駆動本体１が大型で重い場合は、駆動本体１に肩かけベルト１３を取付けて肩に掛け、駆動本体１の荷重の幾分かを人体で支持する必要がある。
【００１８】
しかしながら、操作ハンドル１０を長くしても、人体の足の近くでカッターが回転するのを怖がる人もいるので、連結パイプ７を斜めにして、カッターユニットを人体から遠ざける構造が望まれる。図２は、このように連結パイプ７を斜めにした実施形態である。この実施形態では、カッターユニットと安全カバー８を取付け支持するホルダー１４を設け、鉛直方向のホルダー１４の上端に連結パイプ７を斜めに取付け固定してある。なお、カッター４ｂをカッター保持体４ａに取付けた状態がカッターユニット４であり、このカッターユニット４とホルダー１４で草刈りユニットが構成される。
【００１９】
ホルダー１４に上下方向の貫通孔を開けて、カッターユニット４を固定する回転軸１５を挿通し、上下両端をベアリングＢ１、Ｂ２でホルダー１４に支持してある。また、斜めの連結パイプ７の下端中にベアリングＢ３を設けて連結軸３ｂを支持し、この連結軸３ｂの下端が嵌入している６角差し込みＣ１（凹状）と前記回転軸１５上端の凹部に嵌入している６角差し込みＣ２（凸状）をフレキシブル軸１６で連結してある。したがって、斜めの連結パイプ７中の連結軸３ｂが回転すると、フレキシブル軸１６を介して、鉛直方向の回転軸１５がホルダー１４中で回転して、下端に取付け固定したカッターユニット４を回転させ、草刈りが行われる。
【００２０】
図２のカッターユニット４は、安定盤１２との間隔を変更することで、安定盤１２に対する高さを調節可能にしてある。すなわち、図１の連結軸３下端３ａに対応する回転軸１５が前記下端ベアリングＢ２を貫通して、ホルダー１４から下部に突出しているが、この突出部に複数個のナットＮ１、Ｎ２を螺合させた状態で、カッターユニット４の取付け孔（図３の中心孔２０）に挿通し、その先端にナットＮ３を螺合させ、さらに安定盤１２のメネジを螺合させて取付け固定してある。
【００２１】
草刈り時に安定盤１２が草地の上に載って回転しながら移動するので、カッター線材４ｂは、ナットＮ３の厚さ分の高さで回転して草をカットすることになる。この状態で、ナットＮ２、Ｎ３とカッターユニット４と安定盤１２を一旦外し、ナットＮ１の下側にカッターユニット４を取付ければ、ナット２個分の高さになる。なお、上端のナットＮ１の上側にカッターユニット４を取付けて、ナット３個分の高さにもできるが、上側のホルダー１４で回転が阻害される恐れがある。安定盤１２とカッターユニット４を重ねて取付けると、カッター線材４ｂの高さは最も低くなる。このように、回転軸１５のホルダー１４から突出した部分を複数のナットＮ１、Ｎ２、Ｎ３とカッターユニット４に挿通し、下端に安定盤１２を取付け固定する構造とし、カッターユニット４の取付け高さを選定することで、カッター線材４ｂの回転高さを選択し、刈り取り後の草丈を選択し設定できる。
【００２２】
図３はカッターユニット４の詳細を示す平面図で、図３（１）は図２のカッターユニット４のみを平面図で示した状態であり、底板１７の中心の貫通孔２０に回転軸１５の下部が挿通される。底板１７を有する円筒体側壁１８の内部から貫通孔１８ｈを通過してカッター線材４ｂが放射状に延びている。そして、円筒体側壁１８の内部において、カッター線材４ｂの折り曲げ部４ｃの上に大型のワッシャー１９を重ねた状態になっている。図２はこの状態であり、大型ワッシャー１９の上から回転軸１５を挿通してあるため、カッター線材の折り曲げ部４ｃが円筒体側壁１８内側において、大型のワッシャー１９と底板１７との間に挟まれた状態で、ナットＮ２、Ｎ３の間に挟持固定されている。なお、図３（２）は、大型ワッシャー１９を除去した状態の平面図であり、円筒体側壁１８の内部において、カッター線材の折り曲げ部４ｃで直角方向に曲げられ、円筒体側壁１８の貫通孔１８ｈから外側に貫通し、２本のカッター線材４ｂとなって放射状に延びている。
【００２３】
図４は、帯板状のカッターを用いたカッターユニット４であり、（１）は、回転軸１５の下部に取付けた状態の側面図、（２）はカッターユニット４のみの平面図である。このカッターユニットは、円盤２１の中心に開けた貫通孔２２に回転軸１５を挿通する。この円盤２１には、（２）図のように、直径方向の取付け溝２３を形成し、その溝底面に、帯板状カッター２４の基部（根元）をネジ２５で取付け固定してある。
【産業上の利用可能性】
【００２４】
以上のように、本発明によると、ドリル駆動式の草刈り機が実現できるだけでなく、カッターユニットが小型軽量なため、ドリル駆動手段で容易に駆動でき、ドリル駆動式の草刈り機の普及が期待できる。また、安定盤を用いると共にカッターユニットの取付け高さを容易に選択し設定できるので、刈り取り後の芝丈を容易に選定し、かつ芝丈を均一化できる。
【図面の簡単な説明】
【００２５】
【図１】本発明によるドリル駆動式の草刈り機の剛体連結式の実施形態を示す側面図である。
【図２】本発明によるドリル駆動式の草刈り機の連結パイプを斜めにした実施形態の側面図である。
【図３】有底筒状のカッターユニットの詳細を示す平面図である。
【図４】帯板状カッター式のカッターユニットの側面図と平面図である。
【符号の説明】
【００２６】
１  ドリル駆動部の本体
２  チャック部
３  連結軸
３ａ  連結軸下端（先端）
４  カッターユニット
４ａ  カッター保持体
４ｂ  カッター線材
４ｃ  折り曲げ部
７  連結パイプ
９  半円筒状アダプター
１２  安定盤
１４  ホルダー
１５  回転軸
１７  底板
１８  円筒体側壁
１８ｈ  貫通孔
１９  ワッシャー
２１  円盤
２２  貫通孔
２３  取付け溝
２４  帯板状カッター